(57)【要約】【課題】コの字形状を良好に保持可能であり、サバイバースリング本体内の充填物を交換可能で、さらに、縛着帯がサバイバースリング本体に絡みつかず、迅速に救助者に縛着可能なサバイバースリングを提供する。【解決手段】救助者の腋の下を挿通する二つの腕部分１１と前記腕部分の一方の端部を接続する連結部分１２を備えたサバイバースリング本体１と、前記腕部分の他方の端部にサバイバースリング本体を吊り下げるための吊帯２を備えたサバイバースリングであって、前記サバイバースリング本体内に、前記サバイバースリング本体とほぼ同様な形状の発泡成形体４を着脱自在に充填した。【効果】コの字状に保形しやすく、前記発泡成形体が劣化したときには交換可能である。縛着帯がサバイバースリング本体外側に仮止めでき、縛着帯がサバイバースリングに絡みつく事態を防止できる。【選択図】  図１
2004201890.tif 000002
【特許請求の範囲】
【請求項１】
救助者の腋の下を挿通する二つの腕部分と前記腕部分の一方の端部を接続する連結部分を備えたサバイバースリング本体と、前記腕部分の他方の端部にサバイバースリング本体を吊り下げるための吊帯を備えたサバイバースリングであって、前記サバイバースリング本体内に、前記サバイバースリング本体とほぼ同様な形状の発泡成形体を着脱自在に充填したことを特徴とするサバイバースリング。
【請求項２】
前記発泡成形体は腕部分の形状に対応した形状の腕部成形体と、前記腕部分及び連結部分の形状に対応した鉤状成形体とより成ることを特徴とする請求項１記載のサバイバースリング。
【請求項３】
前記発泡成形体は独立気泡の発泡体であることを特徴とする請求項１または２記載のサバイバースリング。
【請求項４】
前記腕部分内に錘を着脱自在に設けたことを特徴とする請求項１から３のいずれか１項記載のサバイバースリング。
【請求項５】
前記サバイバースリング本体に救助者を縛着するための縛着帯が備えられており、前記縛着帯のフリー部分の一部は腕部分に仮止めされていることを特徴とする請求項１から４のいずれか１項記載のサバイバースリング。
【発明の詳細な説明】
【０００１】
【産業上の利用分野】
本発明はサバイバースリング、さらに詳細には、救助者を吊り下げて救助する際に使用されるサバイバースリングに関する。
【０００２】
【従来技術及び問題点】
サバイバースリングは、図５に示すように、救助者の両脇の下に捲回されるサバイバースリング本体１と、このサバイバースリング本体１の両端に設けられた吊帯２を備えている。そして、前記サバイバースリング本体１には、両脇の下に捲回されたサバイバースリング本体１が救助者より抜脱しないように縛着帯３が設けられた構造になっている。
【０００３】
このようなサバイバースリングを使用するに当たっては、前記サバイバースリング本体１を救助者の両脇の下に通して、前記縛着帯３を救助者に捲回して、縛着帯３に設けられた金具３１を係止して、救助者を固定し、前記吊帯２に接続されたスリングによって吊り上げることによって救助するようになっている。
【０００４】
このようなサバイバースリングの本体１は、カポックの繊維片を充填して構成されているのが一般的である。上述のカポック繊維片は、軽量で断熱性、弾性があり、水をはじきやすく、防腐性が良好であると言う特質を有し、サバイバースリング本体１への充填物として良好な特性を有している。しかしながら繊維片であるため、長年の使用によって、つぶれ、へたりなどを生じ、救助者の身体にフィットするため望ましい形状であるコの字状の形状を保持できなくなるという欠点がある。このような場合に、従来前記繊維片を交換するような構成がなされていないため、不便を克服してそのまま使用するか、サバイバースリング自体を交換するしかなかった。
【０００５】
さらに、前述のカポック繊維片は、前述のように軽量であるため、ヘリコプターよりサバイバースリングを吊り下げて救助を行う場合に、ヘリコプターの回転翼によって形成する下降風によって、サバイバースリングが旋回しやすいという欠点がある。
【０００６】
また、前述のような縛着帯３は、サバイバースリング本体１にその一端が固定され、他の部分はフリーの状態であるため、サバイバースリングの使用に際して、サバイバースリング本体１に絡まり、救助者を迅速にサバイバースリングに固定できないという欠点もあった。
【０００７】
本発明は上述の問題点を解決するためなされたものであり、コの字形状を良好に保持可能であり、サバイバースリング本体内の充填物を交換可能で、しかもヘリコプターの回転翼よりの風によって、サバイバースリングの旋回を抑制可能なサバイバースリングを提供することを目的とする。さらに、縛着帯がサバイバースリング本体に絡みつかず、迅速に救助者に縛着可能なサバイバースリングを提供することを目的とする。
【０００８】
【問題点を解決するための手段】
上記問題点を解決するため、本発明によるサバイバースリングは、救助者の腋の下を挿通する二つの腕部分と前記腕部分の一方の端部を接続する連結部分を備えたサバイバースリング本体と、前記腕部分の他方の端部にサバイバースリング本体を吊り下げるための吊帯を備えたサバイバースリングであって、前記サバイバースリング本体内に、前記サバイバースリング本体とほぼ同様な形状の発泡成形体を着脱自在に充填したことを特徴とする。
【０００９】
本発明の他の実施態様によれば、前記サバイバースリング本体内に錘を着脱自在に備えることが可能である。また、他の態様によれば、縛着帯をサバイバースリング本体外側に仮止めすることが可能になっている。
【００１０】
本発明によれば、サバイバースリング本体内に、あらかじめサバイバースリング本体形状と同様な形状に成形した発泡成形体を充填しているため、コの字状に保形しやすく、かつ前記発泡成形体が劣化したときには交換可能であるため、常に最上の状態を保持可能であるという利点がある。さらにサバイバースリング本体内に錘を設けることによって、ヘリコプター回転翼の下降風によってサバイバースリングが旋回する事態を抑制でき、また、縛着帯がサバイバースリング本体外側に仮止め可能であるため、縛着帯がサバイバースリングに絡みつく事態を防止できるという利点がある。
【００１１】
【実施例】
図１は、本発明によるサイバースリングの平面図、図２はその一部省略した概略図、図３は図１の概略Ａ−Ａ断面図、図４は発泡成形体の形状を示す平面図である。これらの図より明らかなように、ほぼコの字状のサバイバースリング本体１は救助者の腋の下を挿通する二つの腕部分１１とこの腕部分１１の一方の端部を接続する連結部分１２を備え、前述のようにコの字状を形成している。この腕部分１１の他方の端部にはヘリコプターなどよりのスリングを接続する吊帯２が設けられており、前記吊帯２の先端には、前記スリングと接続するための接続金具２１が備えられている。
【００１２】
この実施例において、縛着帯３はサバイバースリング本体１の外側に沿って設けられており、連結部分１２でサバイバースリング本体１に固定されている。前記腕部分１１には縛着帯３のフリー部分を仮止めするための仮止め布片１３が設けられている。前記仮止め布片１３は、図３に示すように一つの端辺がサバイバースリング本体１の腕部分１１に固定されて、開閉自在になっており、前記仮止め布片１３が前記固定された端辺に対向する端部内側には、面ファスナー１３１が設けられている。一方腕部分１１の対応する位置に同様に面ファスナー１１１が設けられており、前記仮止め布片１３の前記端部を固定可能になっている。前記仮止め布片１３を開き、縛着帯３を前記腕部分１１に沿わせ、前記仮止め布片１３を閉じて面ファスナー１１１及び１３１で固定することによって、前記縛着帯３のフリー部分をサバイバースリング本体１の腕部分１１に仮止め可能になる。前記縛着帯３の先端には、相互に縛着するための固定金具３１が設けられている。
【００１３】
図１及び図２に示すように、腕部分１１の側部にはファスナー１４が設けられており、腕部分１１は開閉可能になっている。前記ファスナー１４は腕部分１１の吊帯２を固定する先端部あるいはその付近より連結部分１２付近まで設けられている。さらにファスナ１４は、ファスナーカバー１５によって覆われるようになっており、前記ファスナーカバー１５は面ファスナー１５１および１１２により開閉自在になっている。
【００１４】
前記サバイバースリング本体１内には発泡成形体４が充填されている。発泡成形体４は、この実施例においては、図４に示すように腕部分１１に対応する形状に成形された２つの腕部成形体４１と連結部分１２に充填される連結部成形体４２とよりなっている。
【００１５】
前記腕部成形体４１は、腕部分１１の前記ファスナー１４を開き、腕部分１１に挿入し、前記ファスナー１４を閉じることによって、サバイバースリング本体１内に充填可能である。また連結部成形体４２は、同様に腕部分１１の前記ファスナー１４を開き、連結部成形体４２を連結部分１２に押し込んだ後、腕部成形体４１を腕部分１１に押し込み、ファスナー１４を閉じることによってサバイバースリング本体１内に充填可能である。その後、ファスナーカバー１５をファスナー１４に被せて面ファスナー１５１および１１２で固定することにより、ファスナー１４の保護および救助者へのファスナー１４の当接を防止するようになっている。
【００１６】
このような発泡成形体４は、上記実施例においては、ほぼ直線状の腕部成形体４１と鉤状の鉤状成形体４２とより構成してもよく、コの字状に成形した成形体であってもよい（この場合、腕部分、連結部分、腕部分に連続したファスナーを形成する必要がある）。また、発泡成形体は、たとえば合成樹脂発泡体、たとえばポリエチレン、ポリウレタンなどの発泡体を成形したものであることができる。発泡成形体は、好ましくは独立気泡の発泡体より製造されるのが好ましい。独立気泡であると、水が滲み込みにくく、浮力を長時間維持できるという利点を備えているからである。
【００１７】
本発明においては、図３に示すように、錘５を設けることが可能である。前記錘５は、たとえば鉛などの金属粒を袋体に充填したものであることができ、腕部分１１内に、ほぼ腕部分１１の全体に亘ってあるいはその一部に着脱自在に設けることができる。前記錘５は面ファスナー５１を備えており、一方サバイバースリング本体１（この実施例では腕部分１１）の内面も面ファスナー１１３が設けられており、サバイバースリング本体１内に固定可能なようになっている。この錘５が設けられる部分は、サバイバースリング本体１内の救助者の身体に当接しないような部分であるのがよい。救助者に苦痛を与える恐れがあるためである。
【００１８】
このようなサバイバースリングを使用するに当たっては、たとえばヘリコプターで吊り下げて救助する場合には、前記ファスナーカバー１５を開き、さらに前記ファスナー１４を開き、サバイバースリング本体１内に面ファスナー５１及び１１３により錘５を固定し、さらに発泡成形体４（腕部成形体４１及び連結部成形体４２）を挿入した後、ファスナー１４を閉める。その後吊帯２をヘリコプターのスリングに接続する。このとき、前記サバイバースリング本体１内には錘５が装着されており、重量があるために、ヘリコプターの回転翼による風によって、サバイバースリングを垂下した時に、サバイバースリングが旋回する事態を最小に抑制可能である。また、腕部成形体４１及び連結部成形体４２２から成る発泡成形体４をサバイバースリング本体１に充填しているため、コの字形状が良好に保持可能である。
【００１９】
救助者を救助する場合、垂下されたサバイバースリングのサバイバースリング本体１に腕部分１１が救助者の腋の下になるように捲回する。その後、前記仮止め布片１３を開き、縛着帯３を取り出し、固定金具３１によって縛着帯３を相互に接続することにより、前記救助者をサバイバースリングに縛着する。
【００２０】
このような一連の救助作業において、前述のように縛着帯３のフリー部分はサバイバースリング本体１の腕部分１１に仮止め布片１３によって仮止めされているため、サバイバースリングが垂下されたときに、縛着帯３のフリー部分がサバイバースリング本体１に絡まることがなくなる。
【００２１】
ヘリコプターを使用しない場合は、風の影響は受けない場合が多い。この場合には前記錘５を取り除き、上述のように救助者を救助可能である。この場合、サバイバースリングが軽量になるという利点があり、運搬時、保管時なども、錘を取り除いておくのが好ましい。
【００２２】
【発明の効果】
以上説明したように、本発明によれば、サバイバースリング本体内に、あらかじめサバイバースリング本体形状と同様な形状に成形した発泡成形体を充填しているため、コの字状に保形しやすく、かつ前記発泡成形体が劣化したときには交換可能であるため、常に最上の状態を保持可能であるという利点がある。さらにサバイバースリング本体内に錘を設けることによって、ヘリコプター回転翼の下降風によってサバイバースリングが旋回する事態を抑制でき、また、縛着帯がサバイバースリング本体外側に仮止め可能であるため、縛着帯がサバイバースリングに絡みつく事態を防止できるという利点がある。
【図面の簡単な説明】
【図１】本発明による一実施例のサバイバースリングの平面図。
【図２】本発明による一実施例のサバイバースリングの一部省略正面図。
【図３】本発明による一実施例のサバイバースリングの概略断面図。
【図４】本発明による一実施例の発泡成形体の平面図。
【図５】従来のサバイバースリングを示す斜視図。
【符号の説明】
１          サバイバースリング本体
１１          腕部分
１１１          面ファスナー
１１２          面ファスナー
１１３          面ファスナー
１２          連結部分
１３          仮止め布片
１３１          面ファスナー
１４          ファスナー
１５          ファスナーカバー
１５１          面ファスナー
２          吊帯
２１          接続金具
３          縛着帯
３１          固定金具
４          発泡成形体
４１          腕部成形体
４２          連結部成形体
５          錘
５１          面ファスナー
【図１】
2004201890.tif 000003
【図２】
2004201890.tif 000004
【図３】
2004201890.tif 000005
【図４】
2004201890.tif 000006
【図５】
2004201890.tif 000007